(57)【要約】【課題】頂部開口を繰り返し開閉したとしても、頂壁や頂部フラップが損傷することはなく、長期間使用することができる包装容器を提供する。【解決手段】包装容器１０Ａでは、頂部開口２２を開放するときに容器１０Ａの内側へ向かって凹ませることが可能な中央可撓領域４３が頂部フラップ１８の横方向中央に画成され、頂部開口２２の開放時では、中央可撓領域４３を容器１０Ａの内側へ向かって凹ませつつ頂壁１５を上方へ旋回させると、中央可撓領域４３を除く頂部フラップ１８の残余の両側領域５２が頂壁１５の横方向中央から横方向両側に向かって末広がりに傾斜しつつ、中央可撓領域４３と両側領域５２とが前壁１１および前部フラップ１７の内側から外れる。【選択図】図２
2013107688.tif 000002
【特許請求の範囲】
【請求項１】
互いに対向する前後壁および互いに対向する両側壁と、頂部開口を開閉可能な頂壁および底部開口を塞ぐ底壁と、前記頂壁に連接された頂部フラップとを備え、それら六つの壁が実質的に直交する六面体であり、前記頂部フラップが、該フラップと前記頂壁とを連接して横方向へ延びる連接端縁と、前記連接端縁の反対側に位置して横方向へ延びる自由端縁とを有し、前記頂壁によって頂部開口を閉鎖したときに前記頂部フラップが前記前壁の内側に重なる包装容器において、
前記頂部フラップの横方向中央には、前記頂部開口を開放するときに前記容器の内側へ向かって凹ませることが可能な中央可撓領域が画成され、前記頂部開口の開放時では、前記中央可撓領域を前記容器の内側へ向かって凹ませつつ前記頂壁を上方へ旋回させると、前記中央可撓領域を除く前記頂部フラップの残余の両側領域が前記頂壁の横方向中央から横方向両側に向かって末広がりに傾斜しつつ、前記中央可撓領域と前記両側領域とが前記前壁の内側から外れることを特徴とする包装容器。
【請求項２】
前記頂部フラップの横方向中央には、前記連接端縁において横方向へ延びる所定長さの第１切り込み線と、前記第１切り込み線の横方向両側から前記頂部フラップの自由端縁に向かって縦方向へ延びる所定長さの一対の第２切り込み線と、縦方向へ延びていて前記第１切り込み線の横方向中央から前記頂部フラップの自由端縁に達する第１折り曲げ線と、縦方向へ延びていて前記頂部フラップの縦方向中央に位置する前記第２切り込み線の延出端から該フラップの自由端縁に達する一対の第２折り曲げ線とが作られ、前記中央可撓領域が、前記第１および第２切り込み線と前記第２折り曲げ線とに囲繞された領域である請求項１に記載の包装容器。
【請求項３】
それら第２切り込み線が、前記頂部フラップの連接端縁から自由端縁に向かって末広がりに傾斜し、それら第２折り曲げ線が、前記頂部フラップの連接端縁から自由端縁に向かって末広がりに傾斜している請求項２に記載の包装容器。
【請求項４】
それら第２切り込み線の延出端が、前記頂部フラップの連接端縁から自由端縁に向かって延びた後、前記頂部フラップの自由端縁の側から連接端縁の側に向かって折り返している請求項２または請求項３に記載の包装容器。
【請求項５】
前記頂部フラップの横方向中央には、前記連接端縁において横方向へ延びる所定長さの第１切り込み線と、縦方向へ延びていて前記第１切り込み線の横方向中央から前記頂部フラップの自由端縁に達する第１折り曲げ線と、縦方向へ延びていて前記第１切り込み線の横方向両側から前記頂部フラップの自由端縁に達する一対の第２折り曲げ線とが形成され、前記中央可撓領域が、前記第１切り込み線と前記第２折り曲げ線とに囲繞された領域である請求項１に記載の包装容器。
【請求項６】
それら第２折り曲げ線が、前記頂部フラップの連接端縁から自由端縁に向かって末広がりに傾斜している請求項５に記載の包装容器。
【請求項７】
前記第１切り込み線の両側延出端が、前記連接端縁から前記頂壁または前記頂部フラップに向かって延びた後、再び前記連接端縁と平行して延びている請求項２ないし請求項６いずれかに記載の包装容器。
【請求項８】
前記第２折り曲げ線の間に延びる前記頂部フラップの自由端縁が、該頂部フラップの連接端縁に向かって凹んでいる請求項２ないし請求項７いずれかに記載の包装容器。
【請求項９】
前記包装容器が、前記両側壁の上端縁に連接された一対の側部フラップを含み、前記頂部フラップの連接端縁の横方向両側には、前記第１切り込み線に向かって横方向へ延びる所定長さの一対の第３切り込み線が作られ、前記頂部開口の閉鎖時では、それら側部フラップが前記頂壁の下に重なるとともに前記第３切り込み線に係入する請求項２ないし請求項８いずれかに記載の包装容器。
【請求項１０】
前記前壁の上端縁の横方向中央には、該上端縁から該前壁の下端縁に向かって凸となる第１切り欠き領域が画成され、前記中央可撓領域が、前記第１切り欠き領域において露出している請求項２ないし請求項９いずれかに記載の包装容器。
【請求項１１】
前記包装容器が、前記前壁の上端縁に連接された前部フラップを含み、前記前部フラップの横方向中央には、前記前壁の上端縁から該前部フラップの自由端縁に向かって凸となる第２切り欠き領域が画成され、前記中央可撓領域が、前記第１切り欠き領域と前記第２切り欠き領域とにおいて露出している請求項１０に記載の包装容器。
【発明の詳細な説明】
【技術分野】
【０００１】
本発明は、内部に所定の物品を収納する包装容器に関する。
【背景技術】
【０００２】
前後壁および両側壁と、頂壁および底壁と、両側壁に連接された一対の側部フラップとを備え、それら六つの壁が実質的に直交する六面体であり、それら側部フラップの一部を切欠き内方に折曲して舌片を形成した包装容器がある（特許文献１参照）。この包装容器は、頂部開口からその内部に物品を収容し、それら側部フラップを下方へ旋回させると、一方の側部フラップの舌片を他方の側部フラップの切欠き部に挿入し、下方に突出した２つの舌片の端縁が収容物品を押圧する。次に、頂壁を下方に旋回させて頂部開口を閉じる。頂部開口を閉じた状態では、頂部フラップに連接された頂部フラップが前壁の内側に当接下に重なり、頂部フラップと前壁とが係合する。
【先行技術文献】
【特許文献】
【０００３】
【特許文献１】実開平５−４９６１４号公報
【発明の概要】
【発明が解決しようとする課題】
【０００４】
前記特許文献１に開示の包装容器は、頂部開口を開放した後、その内部に収容された物品を取り出す。頂部開口を開放するには、頂壁を上方へ旋回させるとともに各側部フラップを上方へ旋回させる。頂壁を上方へ旋回させる場合、頂壁に連接された頂部フラップを前壁の内側から抜き出す必要がある。その手順として、前壁と頂部フラップとの間に指を入れ、頂部フラップの中央領域を後壁に向かって後方へ押圧しつつ、頂壁に指を掛けて頂壁を上方へ旋回させる。このとき、頂壁や頂部フラップが強制的に折り曲げられるから、頂部開口の繰り返しの開閉操作によって頂壁や頂部フラップが容易に損傷し、包装容器の寿命がその分短くなり、包装容器の長期使用が難しい。また、頂部開口の開放作業において、頂部フラップと前壁との係合を無理矢理に解除しなければならず、頂部開口の開放作業に手間取る場合がある。
【０００５】
本発明の課題は、頂部開口を繰り返し開閉したとしても、頂壁や頂部フラップが損傷することはなく、長期間使用することができる包装容器を提供することにある。本発明の他の課題は、頂部開口の開放作業に手間取ることがなく、頂部開口をスムースに開放することができる包装容器を提供することにある。
【課題を解決するための手段】
【０００６】
前記課題を解決するための本発明の前提は、互いに対向する前後壁および互いに対向する両側壁と、頂部開口を開閉可能な頂壁および底部開口を塞ぐ底壁と、頂壁に連接された頂部フラップとを備え、それら六つの壁が実質的に直交する六面体であり、頂部フラップが、頂部フラップと頂壁とを連接して横方向へ延びる連接端縁と、連接端縁の反対側に位置して横方向へ延びる自由端縁とを有し、頂壁によって頂部開口を閉鎖したときに頂部フラップが前壁の内側に重なる包装容器である。
【０００７】
前記前提における本発明の特徴として、頂部フラップの横方向中央には、頂部開口を開放するときに容器の内側へ向かって凹ませることが可能な中央可撓領域が画成され、頂部開口の開放時では、中央可撓領域を容器の内側へ向かって凹ませつつ頂壁を上方へ旋回させると、中央可撓領域を除く頂部フラップの残余の両側領域が頂壁の横方向中央から横方向両側に向かって末広がりに傾斜しつつ、中央可撓領域と両側領域とが前壁の内側から外れることにある。
【０００８】
本発明の一例として、頂部フラップの横方向中央には、連接端縁において横方向へ延びる所定長さの第１切り込み線と、第１切り込み線の横方向両側から頂部フラップの自由端縁に向かって縦方向へ延びる所定長さの一対の第２切り込み線と、縦方向へ延びていて第１切り込み線の横方向中央から頂部フラップの自由端縁に達する第１折り曲げ線と、縦方向へ延びていて頂部フラップの縦方向中央に位置する第２切り込み線の延出端からフラップの自由端縁に達する一対の第２折り曲げ線とが作られ、中央可撓領域が第１および第２切り込み線と第２折り曲げ線とに囲繞された領域である。
【０００９】
本発明の他の一例としては、それら第２切り込み線が頂部フラップの連接端縁から自由端縁に向かって末広がりに傾斜し、それら第２折り曲げ線が頂部フラップの連接端縁から自由端縁に向かって末広がりに傾斜している。
【００１０】
本発明の他の一例としては、それら第２切り込み線の延出端が頂部フラップの連接端縁から自由端縁に向かって延びた後、頂部フラップの自由端縁の側から連接端縁の側に向かって折り返している。
【００１１】
本発明の他の一例として、頂部フラップの横方向中央には、連接端縁において横方向へ延びる所定長さの第１切り込み線と、縦方向へ延びていて第１切り込み線の横方向中央から頂部フラップの自由端縁に達する第１折り曲げ線と、縦方向へ延びていて第１切り込み線の横方向両側から頂部フラップの自由端縁に達する一対の第２折り曲げ線とが形成され、中央可撓領域が第１切り込み線と第２折り曲げ線とに囲繞された領域である。
【００１２】
本発明の他の一例としては、それら第２折り曲げ線が頂部フラップの連接端縁から自由端縁に向かって末広がりに傾斜している。
【００１３】
本発明の他の一例としては、第１切り込み線の両側延出端が連接端縁から頂壁または頂部フラップに向かって延びた後、再び連接端縁と平行して延びている。
【００１４】
本発明の他の一例としては、第２折り曲げ線の間に延びる頂部フラップの自由端縁が頂部フラップの連接端縁に向かって凹んでいる。
【００１５】
本発明の他の一例としては、包装容器が両側壁の上端縁に連接された一対の側部フラップを含み、頂部フラップの連接端縁の横方向両側には、第１切り込み線に向かって横方向へ延びる所定長さの一対の第３切り込み線が作られ、頂部開口の閉鎖時では、それら側部フラップが頂壁の下に重なるとともに第３切り込み線に係入する。
【００１６】
本発明の他の一例として、前壁の上端縁の横方向中央には、上端縁から前壁の下端縁に向かって凸となる第１切り欠き領域が画成され、中央可撓領域が第１切り欠き領域において露出している。
【００１７】
本発明の他の一例としては、包装容器が前壁の上端縁に連接された前部フラップを含み、前部フラップの横方向中央には、前壁の上端縁から前部フラップの自由端縁に向かって凸となる第２切り欠き領域が画成され、中央可撓領域が第１切り欠き領域と第２切り欠き領域とにおいて露出している。
【発明の効果】
【００１８】
本発明にかかる包装容器は、頂部開口を開放するときに容器の内側へ向かって凹ませることが可能な中央可撓領域が頂部フラップの横方向中央に画成されているから、頂部開口の開放時に頂部フラップの横方向中央を指で押圧してフラップを強制的に凹ませる必要はなく、頂壁や頂部フラップが折り曲げられることによる頂壁やフラップの損傷を防ぐことができる。包装容器は、頂部開口を繰り返し開閉したとしても、頂壁や頂部フラップが損傷することはなく、長期間の使用に耐えることができる。この包装容器は、頂部開口の開放時において、中央可撓領域を容器の内側へ向かって凹ませつつ頂壁を上方へ旋回させると、中央可撓領域を除く頂部フラップの残余の両側領域が頂壁の横方向中央から横方向両側に向かって末広がりに傾斜しつつ、中央可撓領域と両側領域とが前壁の内側から外れるから、頂部フラップと前壁との係合を容易に解除することができ、頂部開口の開放作業に手間取ることがなく、頂部開口をスムースに開放することができる。
【００１９】
中央可撓領域が第１および第２切り込み線と第２折り曲げ線とに囲繞された領域である包装容器は、中央可撓領域が第１折り曲げ線とそれら第２折り曲げ線とによって折れ曲がり、第１切り込み線や第２切り込み線によって容器の内側へ凹むことが可能に作られているから、頂部開口の開放時に頂部フラップの横方向中央を指で押圧してフラップを強制的に凹ませる必要はなく、頂壁や頂部フラップが折り曲げられることによる頂壁やフラップの損傷を防ぐことができる。包装容器は、頂部開口を繰り返し開閉したとしても、頂壁や頂部フラップが損傷することはなく、長期間の使用に耐えることができる。この包装容器は、頂部開口の開放時において、中央可撓領域を容器の内側へ向かって凹ませつつ頂壁を上方へ旋回させると、中央可撓領域を除く頂部フラップの残余の両側領域が頂壁の横方向中央から横方向両側に向かって末広がりに傾斜しつつ、中央可撓領域と両側領域とが前壁の内側から外れるから、頂部フラップと前壁との係合を容易に解除することができ、頂部開口の開放作業に手間取ることがなく、頂部開口をスムースに開放することができる。
【００２０】
それら第２切り込み線が頂部フラップの連接端縁から自由端縁に向かって末広がりに傾斜し、それら第２折り曲げ線が頂部フラップの連接端縁から自由端縁に向かって末広がりに傾斜している包装容器は、頂部開口の開放時に中央可撓領域を容器の内側へ向かって凹ませるとともに頂壁を上方へ旋回させた場合、頂部フラップの両側領域が中央可撓領域によって横方向内方へ確実に引っ張られるから、両側領域が頂壁の横方向中央から横方向両側に向かって末広がりに傾斜し、中央可撓領域と両側領域とが前壁の内側から容易に外れ、頂部フラップと前壁との係合を容易に解除することができる。包装容器は、頂部開口の開放作業に手間取ることがなく、頂部開口をスムースに開放することができる。
【００２１】
それら第２切り込み線の延出端が頂部フラップの連接端縁から自由端縁に向かって延びた後、頂部フラップの自由端縁の側から連接端縁の側に向かって折り返している包装容器は、第２切り込み線が連接端縁に向かってＵターンしているから、中央可撓領域を容器の内側へ向かって繰り返し凹ませたとしても、第２切り込み線から自由端縁に向かって第２折り曲げ線が裂壊することはなく、頂部フラップの中央可撓領域の破損を防ぐことができ、長期間の使用に耐えることができる。
【００２２】
中央可撓領域が第１切り込み線と第２折り曲げ線とに囲繞された領域である包装容器は、中央可撓領域が第１折り曲げ線とそれら第２折り曲げ線とによって折れ曲がり、第１切り込み線によって容器の内側へ凹むことが可能に作られているから、頂部開口の開放時に頂部フラップの横方向中央を指で押圧してフラップを強制的に凹ませる必要はなく、頂壁や頂部フラップが折り曲げられることによる頂壁やフラップの損傷を防ぐことができる。包装容器は、頂部開口を繰り返し開閉したとしても、頂壁や頂部フラップが損傷することはなく、長期間の使用に耐えることができる。この包装容器は、頂部開口の開放時において、中央可撓領域を容器の内側へ向かって凹ませつつ頂壁を上方へ旋回させると、中央可撓領域を除く頂部フラップの残余の両側領域が頂壁の横方向中央から横方向両側に向かって末広がりに傾斜しつつ、中央可撓領域と両側領域とが前壁の内側から外れるから、頂部フラップと前壁との係合を容易に解除することができ、頂部開口の開放作業に手間取ることがなく、頂部開口をスムースに開放することができる。
【００２３】
それら第２折り曲げ線が頂部フラップの連接端縁から自由端縁に向かって末広がりに傾斜している包装容器は、頂部開口の開放時に中央可撓領域を容器の内側へ向かって凹ませるとともに頂壁を上方へ旋回させた場合、頂部フラップの両側領域が中央可撓領域によって横方向内方へ確実に引っ張られるから、両側領域が頂壁の横方向中央から横方向両側に向かって末広がりに傾斜し、中央可撓領域と両側領域とが前壁の内側から容易に外れ、頂部フラップと前壁との係合を容易に解除することができる。包装容器は、頂部開口の開放作業に手間取ることがなく、頂部開口をスムースに開放することができる。
【００２４】
第１切り込み線の両側延出端が連接端縁から頂壁または頂部フラップに向かって延びた後、再び連接端縁と平行して延びている包装容器は、第１切り込み線の両側延出端が頂壁または頂部フラップに向かって延びた後、再び連接端縁と平行して延びているから、中央可撓領域を容器の内側へ向かって繰り返し凹ませたとしても、第１切り込み線から連接端縁が裂壊することはなく、頂部フラップの破損を防ぐことができ、長期間の使用に耐えることができる。
【００２５】
第２折り曲げ線の間に延びる頂部フラップの自由端縁が頂部フラップの連接端縁に向かって凹んでいる包装容器は、頂部フラップの自由端縁がフラップの連接端縁に向かって凹むことで、その分中央可撓領域の面積が小さくなり、中央可撓領域を容器の内側へ容易に凹ませることができる。この包装容器は、頂部開口の開放時において、中央可撓領域を容器の内側へ向かって凹ませつつ頂壁を上方へ旋回させると、中央可撓領域を除く頂部フラップの残余の両側領域が頂壁の横方向中央から横方向両側に向かって末広がりに傾斜しつつ、中央可撓領域と両側領域とが前壁の内側から外れるから、頂部フラップと前壁との係合を容易に解除することができ、頂部開口の開放作業に手間取ることがなく、頂部開口をスムースに開放することができる。
【００２６】
両側壁の上端縁に連接された一対の側部フラップを含み、頂部開口の閉鎖時において、それら側部フラップが頂壁の下に重なるとともに頂部フラップの連接端縁の横方向両側に作られた第３切り込み線に係入する包装容器は、頂壁と頂部フラップとで頂部開口を閉鎖したときに、前壁の内側に重なる頂部フラップとともに、側部フラップが第３切り込み線に係入するから、頂部開口がしっかりと閉鎖され、頂部開口の不用意な開放を防ぐことができる。この包装容器は、頂部開口の開放時において、中央可撓領域を容器の内側へ向かって凹ませつつ頂壁を上方へ旋回させると、中央可撓領域を除く頂部フラップの残余の両側領域が頂壁の横方向中央から横方向両側に向かって末広がりに傾斜しつつ、中央可撓領域と両側領域とが前壁の内側から外れ、側部フラップと第３切り込み線との係合を容易に解除することができるとともに、頂部フラップと前壁との係合を容易に解除することができ、頂部開口の開放作業に手間取ることがなく、頂部開口をスムースに開放することができる。
【００２７】
前壁の上端縁の横方向中央にその上端縁から下端縁に向かって凸となる第１切り欠き領域が画成され、中央可撓領域が第１切り欠き領域において露出している包装容器は、中央可撓領域が第１切り欠き領域において露出し、それによって頂部開口の開放時に前壁と頂部フラップとの間に指を進入させることなく、中央可撓領域を容器の内側へ凹ませることができるから、頂部フラップや前壁の損傷を防ぐことができ、長期間の使用に耐えることができる。この包装容器は、頂部開口の開放時において、中央可撓領域を容器の内側へ向かって凹ませつつ頂壁を上方へ旋回させると、中央可撓領域を除く頂部フラップの残余の両側領域が頂壁の横方向中央から横方向両側に向かって末広がりに傾斜しつつ、中央可撓領域と両側領域とが前壁の内側から外れるから、頂部フラップと前壁との係合を容易に解除することができ、頂部開口の開放作業に手間取ることがなく、頂部開口をスムースに開放することができる。
【００２８】
前壁の上端縁に連接された前部フラップを含み、前部フラップの横方向中央に前壁の上端縁から前部フラップの自由端縁に向かって凸となる第２切り欠き領域が画成され、中央可撓領域が第１切り欠き領域と第２切り欠き領域とにおいて露出している包装容器は、中央可撓領域が第１切り欠き領域および第２切り欠き領域において露出し、それによって頂部開口の開放時に前壁と頂部フラップとの間に指を進入させることなく、中央可撓領域を容器の内側へ凹ませることができるから、頂部フラップや前壁の損傷を防ぐことができ、長期間の使用に耐えることができる。この包装容器は、頂部開口の開放時において、中央可撓領域を容器の内側へ向かって凹ませつつ頂壁を上方へ旋回させると、中央可撓領域を除く頂部フラップの残余の両側領域が頂壁の横方向中央から横方向両側に向かって末広がりに傾斜しつつ、中央可撓領域と両側領域とが前壁の内側から外れるから、頂部フラップと前壁との係合を容易に解除することができ、頂部開口の開放作業に手間取ることがなく、頂部開口をスムースに開放することができる。
【図面の簡単な説明】
【００２９】
【図１】一例として示す包装容器の展開平面図。
【図２】包装容器の斜視図。
【図３】包装容器の部分破断正面図。
【図４】頂壁の一部を含む頂部フラップの拡大平面図。
【図５】容器の頂部開口の開放手順の一例を説明する図。
【図６】図５から続く開放手順を説明する図。
【図７】頂部開口を開放した状態で示す容器の斜視図。
【図８】他の一例として示す包装容器の展開平面図。
【図９】包装容器の斜視図。
【図１０】包装容器の部分破断正面図
【図１１】頂壁の一部を含む頂部フラップの拡大平面図
【図１２】容器の頂部開口の開放手順の一例を説明する図。
【図１３】図１２から続く開放手順を説明する図。
【図１４】頂部開口を開放した状態で示す容器の斜視図。
【発明を実施するための形態】
【００３０】
一例として示す包装容器１０Ａの展開平面図である図１等の添付の図面を参照し、本発明にかかる包装容器の詳細を説明すると、以下のとおりである。なお、図２は、包装容器１０Ａの斜視図であり、図３は、包装容器１０Ａの部分破断正面図である。図４は、頂壁１５の一部を含む頂部フラップ１８の拡大平面図である。図１〜３では、縦方向を矢印Ａ、横方向を矢印Ｂで示し、前後方向を矢印Ｃ（図１，３を除く）で示す。包装容器１０Ａは、図２，３に示すように、可撓性を有する６つの壁１１，１２，１３，１４，１５，１６Ａ，１６Ｂが実質的に直交する六面体であり、その外観形状が前後方向へ長い略直方体に成形されている。
【００３１】
包装容器１０Ａは、互いに対向かつ並行して横方向へ延びる前壁１１および後壁１２と、前後壁１１，１２の間に位置し、互いに対向かつ並行して前後方向へ延びる左側壁１３（両側壁の一方）および右側壁１４（両側壁の他方）と、頂部開口２２を開閉可能な頂壁１５と、底部開口２３を閉鎖する各底壁１６Ａ，１６Ｂと、前部フラップ１７および頂部フラップ１８と、各側部フラップ１９Ａ，１９Ｂおよび各底部フラップ２０Ａ，２０Ｂとを有する。容器１０Ａでは、前後壁１１，１２と左右側壁１３，１４と頂底壁１５，１６Ａ，１６Ｂとのうちの隣接する壁１１，１２，１３，１４，１５，１６Ａ，１６Ｂどうしが互いに直交するように折曲されている。
【００３２】
包装容器１０Ａには、それら壁１１，１２，１３，１４，１５，１６Ａ，１６Ｂに囲繞された所定容積の物品収納部２１が画成されている。容器１０Ａは、頂部開口２２から物品収納部２１に物品を収納した後、頂部開口２２を閉じ、それを陳列棚に並べたり、フックに吊下げて陳列する。なお、容器１０Ａの外観形状を前後方向へ長い直方体に限定するものではなく、その外観形状が上下方向へ長い直方体または横方向へ長い直方体あるいは立方体であってもよい。また、容器１０Ａの大きさに特に限定はなく、収納する物品に合わせてその大きさを適宜決定することができる。
【００３３】
前壁１１は、横方向へ長い矩形に作られ、後壁１２は、横方向へ長い矩形に作られている。左側壁１３は、横方向（図２では、前後方向）へ長い矩形に作られ、右側壁１４は、横方向（図２では、前後方向）へ長い矩形に作られている。頂壁１５は、縦方向（図２では、前後方向）へ長い矩形に作られ、各底壁１６Ａ，１６Ｂは、横方向（図２では、前後方向）へ長い略矩形に作られている。前部フラップ１７は、横方向へ長い矩形に作られ、頂部フラップ１８は横方向へ長い矩形に作られている。各側部フラップ１９Ａ，１９Ｂは、横方向（図２では、前後方向）へ長い略矩形に作られ、各底部フラップ２０Ａ，２０Ｂは、略三角形に作られている。
【００３４】
図１の展開平面図では、図の右方から左方へ向かって、左側壁１３、前壁１１、右側壁１４、後壁１２の順で並んでいる。左側壁１３には、側縁２４を介して糊代となる接合壁２５が連接されている。左側壁１３と前壁１１とは、側縁２６を介して連接され、側縁２６においてそれらを折曲することができる。前壁１１と右側壁１４とは、側縁２７を介して連接され、側縁２７においてそれらを折曲することができる。右側壁１４と後壁１２とは、側縁２８を介して連接され、側縁２８においてそれらを折曲することができる。
【００３５】
左側壁１３と側部フラップ１９Ａとは、上端縁２９を介して連接され、上端縁２９においてそれらを折曲することができる。左側壁１３と底壁１６Ａとは、下端縁３０を介して連接され、下端縁３０においてそれら折曲することができる。前壁１１と前部フラップ１７とは、上端縁３１を介して連接され、上端縁３１においてそれらを折曲することができる。前壁１１と底部フラップ２０Ａとは、下端縁３２を介して連接され、下端縁３２においてそれらを折曲することができる。
【００３６】
右側壁１４と側部フラップ１９Ｂとは、上端縁３３を介して連接され、上端縁３３においてそれらを折曲することができる。右側壁１４と底壁１６Ｂとは、下端縁３４を介して連接され、下端縁３４においてそれらを折曲することができる。後壁１２と頂壁１５とは、上端縁３５を介して連接され、上端縁３５においてそれらを折曲することができる。後壁１２と底部フラップ２０Ｂとは、下端縁３６を介して連接され、下端縁３６においてそれらを折曲することができる。
【００３７】
頂部フラップ１８は、横方向へ延びる連接端縁３７と、連接端縁３７の反対側に位置して横方向へ延びる自由端縁３８とを有する。頂壁１５と頂部フラップ１８とは、連接端縁３７を介して連接され、連接端縁３７においてそれらを折曲することができる。頂部フラップ１８の横方向中央には、所定長さの第１切り込み線３９および所定長さの第２切り込み線４０Ａ，４０Ｂと、第１折り曲げ線４１および第２折り曲げ線４２Ａ，４２Ｂとが作られている。頂部フラップ１８の横方向中央には、第１および第２切り込み線３９，４０Ａ，４０Ｂと第２折り曲げ線４２Ａ，４２Ｂとに囲繞された中央可撓領域４３が画成されている。
【００３８】
第１切り込み線３９は、連接端縁３７を切断することから作られ、頂部フラップ１８を横方向に二分する第１中心線Ｌ１を中心として横方向へ延びている。第１切り込み線３９は、第１中心線Ｌ１から右方へ延びる寸法と第１中心線Ｌ１から左方へ延びる寸法とが同一である。第１切り込み線３９の両側延出端４４は、連接端縁３７から頂壁１５に向かって延びた後、再び連接端縁３７と平行して延びている。なお、両側延出端４４は、連接端縁３７から頂部フラップ１８に向かって延びた後、再び連接端縁３７と平行して延びていてもよい。第１切り込み線３９の長さ寸法は、頂壁１５の横方向の長さ寸法の略１／３である。
【００３９】
第２切り込み線４０Ａ，４０Ｂは、第１切り込み線３９の横方向両側から頂部フラップ１８の自由端縁３８に向かって縦方向へ延びている。それら第２切り込み線４０Ａ，４０Ｂは、第１中心線Ｌ１を挟んで左右対称形に作られ、連接端縁３７から自由端縁３８に向かって互いの離間寸法が次第に広がるように末広がりに傾斜している。第２切り込み線４０Ａ，４０Ｂは、頂部フラップ１８を縦方向に二分する第２中心線Ｌ２近傍（頂部フラップ１８の縦方向中央）に達している。頂部フラップ１８の縦方向中央に位置する第２切り込み線４０Ａ，４０Ｂの延出端４５は、連接端縁３７から自由端縁３８に向かって延びた後、自由端縁３８の側から連接端縁３７の側に向かって折り返している（Ｕターン）。
【００４０】
第１折り曲げ線４１は、第１中心線Ｌ１に沿って第１切り込み線３９の横方向中央（連接端縁３７の横方向中央）から自由端縁３８に向かって縦方向へ延びている。第１折り曲げ線４１は、第１切り込み線３９の横方向中央から自由端縁３８に達している。第１折り曲げ線４１において頂部フラップ１８の横方向中央（中央可撓領域４３）を容器１０Ａの内側（物品収納部２１）に向かって谷折りにすることができる。
【００４１】
第２折り曲げ線４２Ａ，４２Ｂは、頂部フラップ１８の縦方向中央（第２中心線Ｌ２近傍）に位置する第２切り込み線４０Ａ，４０Ｂの延出端４５から自由端縁３８に向かって縦方向へ延びている。第２折り曲げ線４２Ａ，４２Ｂは、第２切り込み線４０Ａ，４０Ｂの延出端４５から自由端縁３８に達している。それら第２折り曲げ線４２Ａ，４２Ｂは、第１中心線Ｌ１を挟んで左右対称形に作られ、第２切り込み線４０Ａ，４０Ｂの延出端４５から自由端縁３８に向かって互いの離間寸法が次第に広がるように末広がりに傾斜している。第２折り曲げ線４２Ａ，４２Ｂにおいて頂部フラップ１８の横方向中央（中央可撓領域４３）を容器１０Ｂの外側に向かって山折りにすることができる。
【００４２】
第２折り曲げ線４２Ａ，４２Ｂの間に延びる頂部フラップ１８の自由端縁３８は、フラップ１８の連接端縁３７に向かって凹み、連接端縁３７に向かって弧を画いている。頂部フラップ１８の連接端縁３７の横方向両側には、第１切り込み線３９に向かって横方向へ延びる所定長さの一対の第３切り込み線４６Ａ，４６Ｂが作られている。それら第３切り込み線４６Ａ，４６Ｂは、連接端縁３７の横方向両側から第１中心線Ｌ１に向かってわずかに延びており、それらの横方向の長さ寸法が同一である。第１切り込み線３９と第３切り込み線４６Ａ，４６Ｂとの間には連接端縁３７が存在し、連接端縁３７がそれら第３切り込み線４６Ａ，４６Ｂに挟まれているとともに、第１切り込み線３９がそれら連接端縁３７に挟まれている。
【００４３】
包装容器１０Ａでは、頂部フラップ１８の横方向中央（中央可撓領域４３）を容器１０Ａの内側（物品収納部２１）に向かって押圧すると、第１折り曲げ線４１において頂部フラップ１８の横方向中央が容器１０Ａの内側に向かって谷折りになり、第２折り曲げ線４２Ａ，４２Ｂにおいて頂部フラップ１８の横方向中央が容器１０Ａの外側に向かって山折りになり、第１および第２切り込み線３９，４０Ａ，４０Ｂと第２折り曲げ線４２Ａ，４２Ｂとに囲繞された中央可撓領域４３を容器１０Ａの内側に向かって凹ませることができる。
【００４４】
前壁１１の上端縁３１の横方向中央には、上端縁３１から前壁１１の下端縁３２に向かって凸となる第１切り欠き領域４７が画成されている。第１切り欠き領域４７では、前壁１１が存在しない。第１切り欠き領域４７の横方向の寸法は、それら第２切り込み線４０Ａ，４０Ｂの離間寸法と略同一であり、第１切り欠き領域４７の縦方向の寸法は、第２切り込み線４０Ａ，４０Ｂの長さ寸法と略同一である。
【００４５】
前部フラップ１７の横方向中央には、前壁１１の上端縁３１から前部フラップ１７の自由端縁４８に向かって凸となる第２切り欠き領域４９が画成されている。第２切り欠き領域４９では、前部フラップ１７が存在しない。第２切り欠き領域４９の横方向の寸法は、それら第２切り込み線４０Ａ，４０Ｂの離間寸法と略同一であり、第２切り欠き領域４９の縦方向の寸法は、第２切り込み線４０Ａ，４０Ｂの長さ寸法と略同一である。
【００４６】
図１の展開平面図から容器１０Ａを組み立てる手順は、以下のとおりである。接合壁２５が左側壁１３に対して直交するように、接合壁２５を側縁２４において略直角に折曲し、左側壁１３が前壁１１に対して直交するように、左側壁１３を側縁２６において略直角に折曲する。次に、前壁１１が右側壁１４に対して直交するように、前壁１１を側縁２７において略直角に折曲し、右側壁１４が後壁１２に対して直交するように、右側壁１４を側縁２８において略直角に折曲する。それら前後壁１１，１２と左右側壁１３，１４と接合壁２５とを折曲した後は、接合壁２５が内側になるように後壁１２と接合壁２５とを重ね合わせ、それら壁１２，２５どうしを接着剤によって固着する。それら壁１２，２５どうしを固着すると、前後壁１１，１２および左右側壁１３，１４に囲繞された頂部開口２２と底部開口２３とが形成される。
【００４７】
後壁１２と接合壁２５とを固着した後、底部フラップ２０Ｂが後壁１２に対して直交するように、底部フラップ２０Ｂを下端縁３６において容器１０Ａの内側に向かって略直角に折曲し、底壁１６Ｂが右側壁１４に対して直交するように、底壁１６Ｂを下端縁３４において容器１０Ａの内側に向かって略直角に折曲する。底部フラップ２０Ｂおよび底壁１６Ｂを折曲すると、底壁１６Ｂの一部が底部フラップ２０Ｂの下に重なる。次に、底壁１６Ｂと底部フラップ２０Ｂとの互いに重なり合う部分を接着剤によって固着する。
【００４８】
底壁１６Ｂと底部フラップ２０Ｂとを固着した後、底部フラップ２０Ａが前壁１１に対して直交するように、底部フラップ２０Ａを下端縁３２において容器１０Ａの内側に向かって略直角に折曲し、底壁１６Ａが左側壁１３に対して直交するように、底壁１６Ａを下端縁３０において容器１０Ａの内側に向かって略直角に折曲する。底部フラップ２０Ａおよび底壁１６Ａを折曲すると、底壁１６Ａの一部が底部フラップ２０Ａの下に重なる。次に、底壁１６Ａと底部フラップ２０Ａとの互いに重なり合う部分を接着剤によって固着する。底壁１６Ａ，１６Ｂと底部フラップ２０Ａ，２０Ｂとを固着すると、底壁１６Ａ，１６Ｂおよび底部フラップ２０Ａ，２０Ｂによって底部開口２３が閉塞される。底部開口２３を閉塞すると、容器１０Ａには、前後壁１１，１２、左右側壁１３，１４、底壁１６Ａ，１６Ｂ、底部フラップ２０Ａ，２０Ｂに囲繞された物品収納部２１が形成される。
【００４９】
物品収納部２１に所定の物品を収納した後、前部フラップ１７が前壁１１と重なるように、前部フラップ１７を上端縁３１において容器１０Ａの内側に向かって折曲する。前部フラップ１７を折曲すると、前部フラップ１７が前壁１１の内側に重なるとともに、前壁１１に画成された第１切り欠き領域４７と前部フラップ１７に画成された第２切り欠き領域４９とが重なる。次に、側部フラップ１９Ｂが右側壁１４に対して直交するように、側部フラップ１９Ｂを上端縁３３において容器１０Ａの内側に向かって略直角に折曲し、側部フラップ１９Ａが左側壁１３に対して直交するように、側部フラップ１９Ａを上端縁２９において容器１０Ａの内側に向かって略直角に折曲する。
【００５０】
それら側部フラップ１９Ａ，１９Ｂを折曲した後、頂部フラップ１８が頂壁１５に対して直交するように、頂部フラップ１８を連接端縁３７において頂壁１５の内面に向かって略直角に折曲する。次に、頂壁１５が後壁１２に対して直交するように、頂壁１５を上端縁３５において容器１０Ａの内側に向かって略直角に折曲するとともに、互いに重なり合う前部フラップ１７と前壁１１との内側に頂部フラップ１８を挿入する。
【００５１】
前部フラップ１７および前壁１１の内側に頂部フラップ１８を挿入すると、それら各側部フラップ１９Ａ，１９Ｂが頂壁１５の下に重なるとともに、それら側部フラップ１９Ａ，１９Ｂの前壁１１の側に位置する部分５０が連接端縁３７に形成された第３切り込み線４６Ａ，４６Ｂに係入し、頂部開口２２が閉鎖される。頂部開口２２を閉鎖すると、中央可撓領域４３が第１切り欠き領域４７において露出するとともに、第２切り欠き領域４９において露出する。頂部開口２２が閉鎖された容器１０Ａは、陳列棚に並べることができる。また、容器１０Ａは、それを透明な袋に入れ、袋に形成された挿入孔にフックを挿入することで、容器１０Ａをフックに吊下げることができる。
【００５２】
図５は、容器１０Ａの頂部開口２２の開放手順の一例を説明する図であり、図６は、図５から続く開放手順を説明する図である。図７は、頂部開口２２を開放した状態で示す容器１０Ａの斜視図である。図５，６では、上下方向（縦方向）を矢印Ａで示し、横方向を矢印Ｂで示す。図２に示す頂部開口２２が閉鎖された状態から、頂部開口２２を開放する手順の一例を説明すると、以下のとおりである。
【００５３】
図５に示すように、頂部フラップ１８の中央可撓領域４３を指５１で容器１０Ａの内側（物品収納部２１）に向かって押圧する。中央可撓領域４３を押圧すると、第１折り曲げ線４１において中央可撓領域４３が容器１０Ａの内側に向かって谷折りになり、第２折り曲げ線４２Ａ，４２Ｂにおいて中央可撓領域４３が容器１０Ａの外側に向かって山折りになり、中央可撓領域４３が容器１０Ａの内側に向かって凹む。
【００５４】
中央可撓領域４３を凹ませた後、図５，６に矢印Ａ１で示すように、頂壁１５を上方へ向かって引っ張り、上端縁３５を旋回軸として頂壁１５を上方へ旋回させる。中央可撓領域４３を凹ませるとともに頂壁１５を引っ張ると、図５，６に矢印Ｂ１で示すように、中央可撓領域４３を除く頂部フラップ１８の残余の両側領域５２が横方向内方へ引っ張られ、両側領域５２が頂壁１５の横方向中央から横方向両側に向かって末広がりに傾斜する。
【００５５】
頂壁１５をさらに上方へ旋回させると、両側領域５２の傾斜が一層大きくなるとともに、側部フラップ１９Ａ，１９Ｂの部分５０と連接端縁３７に形成された第３切り込み線４６Ａ，４６Ｂとの係合が次第に外れ、中央可撓領域４３と両側領域５２とが前壁１１および前部フラップ１７の内側から次第に外れる。側部フラップ１９Ａ，１９Ｂの部分５０と第３切り込み線４６Ａ，４６Ｂとの係合が外れ、中央可撓領域４３と両側領域５２とが前壁１１および前部フラップ１７の内側から外れると、図７に示すように、頂部開口２２が開放される。頂部開口２２が開放された後、物品収納部２１に収納された物品を取り出し、頂部開口２２を再び閉鎖する。頂部開口２２の閉鎖手順は既述のとおりである。
【００５６】
包装容器１０Ａは、頂部フラップ１８の横方向中央に第１および第２切り込み線３９，４０Ａ，４０Ｂと第２折り曲げ線４２Ａ，４２Ｂとに囲繞された中央可撓領域４３が画成され、頂部開口２２を開放するときに中央可撓領域４３を容器１０Ａの内側（物品収納部２１）へ向かって凹ませることができるから、頂部開口２２の開放時に頂部フラップ１８の横方向中央を指５１で押圧してフラップ１８を強制的に凹ませる必要はなく、頂壁１５や頂部フラップ１８が強制的に折り曲げられることによる頂壁１５やフラップ１８の損傷を防ぐことができる。包装容器１０Ａは、頂部開口２２を繰り返し開閉したとしても、頂壁１５や頂部フラップ１８が損傷することはなく、長期間の使用に耐えることができる。
【００５７】
包装容器１０Ａは、頂部開口２２の開放時に、中央可撓領域４３を容器１０Ａの内側へ向かって凹ませつつ頂壁１５を上方へ旋回させると、中央可撓領域４３を除く頂部フラップ１８の残余の両側領域５２が頂壁１５の横方向中央から横方向両側に向かって末広がりに傾斜しつつ、側部フラップ１９Ａ，１９Ｂと第３切り込み線４６Ａ，４６Ｂとの係合が外れ、中央可撓領域４３と両側領域５２とが前壁１１および前部フラップ１７の内側から外れるから、頂部フラップ１８と前壁１１や前部フラップ１７との係合を容易に解除することができ、頂部開口２２の開放作業に手間取ることがなく、頂部開口２２をスムースに開放することができる。
【００５８】
包装容器１０Ａは、第２切り込み線４０Ａ，４０Ｂが頂部フラップ１８の連接端縁３７から自由端縁３８に向かって末広がりに傾斜し、第２折り曲げ線４２Ａ，４２Ｂが頂部フラップ１８の連接端縁３７から自由端縁３８に向かって末広がりに傾斜しているから、頂部開口２２の開放時に中央可撓領域４３を容器１０Ａの内側へ向かって凹ませるとともに頂壁１５を上方へ旋回させた場合、頂部フラップ１８の両側領域５２が中央可撓領域４３によって横方向内方へ確実に引っ張られ、両側領域５２が頂壁１５の横方向中央から横方向両側に向かって末広がりに傾斜し、側部フラップ１９Ａ，１９Ｂと第３切り込み線４６Ａ，４６Ｂとの係合が容易に外れるとともに、中央可撓領域４３と両側領域５２とが前壁１１や前部フラップ１７の内側から容易に外れ、側部フラップ１９Ａ，１９Ｂと第３切り込み線４６Ａ，４６Ｂとの係合を容易に解除することができ、頂部フラップ１８と前壁１１および前部フラップ１７との係合を容易に解除することができる。
【００５９】
包装容器１０Ａは、第２切り込み線４０Ａ，４０Ｂの延出端４５が頂部フラップ１８の連接端縁３７から自由端縁３８に向かって延びた後、頂部フラップ１８の自由端縁３８の側から連接端縁３７の側に向かって折り返しているから（Ｕターン）、中央可撓領域４３を容器１０Ａの内側へ向かって繰り返し凹ませたとしても、第２切り込み線４０Ａ，４０Ｂから自由端縁３８に向かって第２折り曲げ線４２Ａ，４２Ｂが裂壊することはなく、頂部フラップ１８の中央可撓領域４３の破損を防ぐことができる。また、包装容器１０Ａは、第１切り込み線３９の両側延出端４４が頂壁１５に向かって延びた後、再び連接端縁３７と平行して延びているから、中央可撓領域４３を容器１０Ａの内側へ向かって繰り返し凹ませたとしても、第１切り込み線３９から連接端縁３７が裂壊することはなく、頂部フラップ１８の破損を防ぐことができる。
【００６０】
包装容器１０Ａは、第２折り曲げ線４２Ａ，４２Ｂの間に延びる頂部フラップ１８の自由端縁３８が頂部フラップ１８の連接端縁３７に向かって凹んでいるから、その分中央可撓領域４３の面積が小さくなり、中央可撓領域４３を容器１０Ａの内側へ容易に凹ませることができる。包装容器１０Ａは、中央可撓領域４３が前壁１１の第１切り欠き領域４７および前部フラップ１７の第２切り欠き領域４９において露出し、それによって頂部開口２２の開放時に前壁１１と頂部フラップ１７との間に指を強制的に進入させることなく、中央可撓領域４３を容器１０Ａの内側へ凹ませることができるから、前壁１１や頂部フラップ１７の損傷を防ぐことができる。
【００６１】
図８は、他の一例として示す包装容器１０Ｂの展開平面図であり、図９は、包装容器１０Ｂの斜視図である。図１０は、包装容器１０Ｂの部分破断正面図であり、図１１は、頂壁１１の一部を含む頂部フラップ１８の拡大平面図である。図８〜１０では、縦方向を矢印Ａ、横方向を矢印Ｂで示し、前後方向を矢印Ｃ（図を除く）で示す。包装容器１０Ｂは、可撓性を有する６つの壁１１，１２，１３，１４，１５，１６Ａ，１６Ｂが実質的に直交する六面体であり、その外観形状が前後方向へ長い略直方体に成形されている。
【００６２】
包装容器１０Ｂは、図２の容器１０Ａと同様に、互いに対向かつ並行して横方向へ延びる前壁１１および後壁１２と、前後壁１１，１２の間に位置し、互いに対向かつ並行して前後方向へ延びる左側壁１３および右側壁１４と、頂部開口２２を開閉可能な頂壁１５と、底部開口２３を閉鎖する各底壁１６Ａ，１６Ｂと、前部フラップ１７および頂部フラップ１８と、各側部フラップ１９Ａ，１９Ｂおよび各底部フラップ２０Ａ，２０Ｂとを有する。
【００６３】
容器１０Ｂでは、前後壁１１，１２と左右側壁１３，１４と頂底壁１５，１６Ａ，１６Ｂとのうちの隣接する壁１１，１２，１３，１４，１５，１６Ａ，１６Ｂどうしが互いに直交するように折曲されている。容器１０Ｂには、それら壁１１，１２，１３，１４，１５，１６Ａ，１６Ｂに囲繞された所定容積の物品収納部２１が画成されている。容器１０Ｂは、頂部開口２２から物品収納部２１に物品を収納した後、頂部開口２２を閉じる。
【００６４】
前後壁１１，１２は、横方向へ長い矩形に作られ、左右側壁１３，１４は、横方向（図９では、前後方向）へ長い矩形に作られている。頂壁１５は、縦方向（図９では、前後方向）へ長い矩形に作られ、各底壁１６Ａ，１６Ｂは、横方向（図９では、前後方向）へ長い略矩形に作られている。前部フラップ１７および頂部フラップ１８は、横方向へ長い矩形に作られ、各側部フラップ１９Ａ，１９Ｂは、横方向（図９では、前後方向）へ長い略矩形に作られている。各底部フラップ２０Ａ，２０Ｂは、略三角形に作られている。
【００６５】
図８の展開平面図では、図の右方から左方へ向かって、左側壁１３、前壁１１、右側壁１４、後壁１２の順で並んでいる。左側壁１３には、側縁２４を介して糊代となる接合壁２５が連接されている。左側壁１３と前壁１１とは、側縁２６を介して連接され、前壁１１と右側壁１４とは、側縁２７を介して連接されている。右側壁１４と後壁１２とは、側縁２８を介して連接されている。
【００６６】
左側壁１３と側部フラップ１９Ａとは、上端縁２９を介して連接され、左側壁１３と底壁１６Ａとは、下端縁３０を介して連接されている。前壁１１と前部フラップ１７とは、上端縁３１を介して連接され、前壁１１と底部フラップ２０Ａとは、下端縁３２を介して連接されている。右側壁１４と側部フラップ１９Ｂとは、上端縁３３を介して連接され、右側壁１４と底壁１６Ｂとは、下端縁３４を介して連接されている。後壁１２と頂壁１５とは、上端縁３５を介して連接され、後壁１２と底部フラップ２０Ｂとは、下端縁３６を介して連接されている。
【００６７】
頂部フラップ１８は、連接端縁３７と、連接端縁３７の反対側に位置する自由端縁３８とを有する。頂壁１５と頂部フラップ１８とは、連接端縁３７を介して連接されている。頂部フラップ１８の横方向中央には、所定長さの第１切り込み線３９と、第１折り曲げ線４１および第２折り曲げ線４２Ａ，４２Ｂとが作られている。頂部フラップ１８の横方向中央には、第１切り込み線３９と第２折り曲げ線４２Ａ，４２Ｂとに囲繞された中央可撓領域４３が画成されている。
【００６８】
第１切り込み線３９は、連接端縁３７を切断することから作られ、第１中心線Ｌ１を中心として横方向へ延びている。第１切り込み線３９は、第１中心線Ｌ１から右方へ延びる寸法と第１中心線Ｌ１から左方へ延びる寸法とが同一である。第１切り込み線３９の両側延出端４４は、連接端縁３７から頂壁１５に向かって延びた後、再び連接端縁３７と平行して延びている。第１切り込み線３９の長さ寸法は、頂壁１５の横方向の長さ寸法の略１／３である。
【００６９】
第１折り曲げ線４１は、第１中心線Ｌ１に沿って第１切り込み線３９の横方向中央（連接端縁３７の横方向中央）から自由端縁３８に向かって縦方向へ延びている。第１折り曲げ線４１は、第１切り込み線３９の横方向中央から自由端縁３８に達している。第１折り曲げ線４１において頂部フラップ１８の中央可撓領域４３を容器１０Ｂの内側に向かって谷折りにすることができる。
【００７０】
第２折り曲げ線４２Ａ，４２Ｂは、第１切り込み線３９の横方向両側から頂部フラップ１８の自由端縁３８に向かって縦方向へ延びている。それら第２折り曲げ線４２Ａ，４２Ｂは、第１中心線Ｌ１を挟んで左右対称形に作られ、連接端縁３７から自由端縁３８に向かって互いの離間寸法が次第に広がるように末広がりに傾斜している。第２折り曲げ線４２Ａ，４２Ｂにおいて頂部フラップ１８の中央可撓領域４３を容器１０Ｂの外側に向かって山折りにすることができる。
【００７１】
第２折り曲げ線４２Ａ，４２Ｂの間に延びる頂部フラップ１８の自由端縁３８には、連接端縁３７に向かって凹む凹部５３が形成されている。凹部５３では、頂部フラップ１８が存在しない。頂部フラップ１８の連接端縁３７の横方向両側には、第１切り込み線３９に向かって横方向へ延びる所定長さの一対の第３切り込み線４６Ａ，４６Ｂが作られている。それら第３切り込み線４６Ａ，４６Ｂは、連接端縁３７の横方向両側から第１中心線Ｌ１に向かってわずかに延びており、それらの長さ寸法が同一である。
【００７２】
包装容器１０Ｂでは、頂部フラップ１８の中央可撓領域４３を容器１０Ｂの内側に向かって押圧すると、第１折り曲げ線４１において頂部フラップ１８の中央可撓領域４３が容器１０Ｂの内側に向かって谷折りになり、第２折り曲げ線４２Ａ，４２Ｂにおいて頂部フラップ１８の中央可撓領域４３が容器１０Ｂの外側に向かって山折りになり、第１切り込み線３９と第２折り曲げ線４２Ａ，４２Ｂとに囲繞された中央可撓領域４３を容器１０Ｂの内側に向かって凹ませることができる。
【００７３】
前壁１１の上端縁３１の横方向中央には、上端縁３１から前壁１１の下端縁３２に向かって凸となる第１切り欠き領域４７が画成されている。第１切り欠き領域４７の横方向の寸法は、それら第２切り込み線４０Ａ，４０Ｂの離間寸法と略同一であり、第１切り欠き領域４７の縦方向の寸法は、第２折り曲げ線４２Ａ，４２Ｂの略半分である。前部フラップ１７の横方向中央には、前壁１１の上端縁３１から前部フラップ１７の自由端縁４８に向かって凸となる第２切り欠き領域４９が画成されている。第２切り欠き領域４９の横方向の寸法は、第２切り込み線４０Ａ，４０Ｂの離間寸法と略同一であり、第２切り欠き領域４９の縦方向の寸法は、第２折り曲げ線４２Ａ，４２Ｂの略半分である。なお、図８の展開平面図から容器１０Ｂを組み立てる手順は、図１の展開平面図から容器１０Ａを組み立てる手順と同一であるから、その説明は省略する。
【００７４】
図１２は、容器１０Ｂの頂部開口２２の開放手順の一例を説明する図であり、図１３は、図１２から続く開放手順を説明する図である。図１４は、頂部開口２２を開放した状態で示す容器１０Ｂの斜視図である。図１２，１３では、上下方向（縦方向）を矢印Ａで示し、横方向Ｂを矢印で示す。図９に示す頂部開口２２が閉鎖された状態から、頂部開口２２を開放する手順の一例を説明すると、以下のとおりである。
【００７５】
図１２に示すように、頂部フラップ１８の中央可撓領域４３を指で容器１０Ｂの内側（物品収納部２１）に向かって押圧する。中央可撓領域４３を押圧すると、第１折り曲げ線４１において中央可撓領域４３が容器１０Ｂの内側に向かって谷折りになり、第２折り曲げ線４２Ａ，４２Ｂにおいて中央可撓領域４３が容器１０Ｂの外側に向かって山折りになり、中央可撓領域４３が容器１０Ｂの内側に向かって凹む。
【００７６】
中央可撓領域４３を凹ませた後、図１２，１３に矢印Ａ１で示すように、頂壁１５を上方へ向かって引っ張り、上端縁３５を旋回軸として頂壁１５を上方へ旋回させる。中央可撓領域４３を凹ませるとともに頂壁１５を引っ張ると、図１２，１３に矢印Ｂ１で示すように、中央可撓領域４３を除く頂部フラップ１８の残余の両側領域５２が横方向内方へ引っ張られ、両側領域５２が頂壁１５の横方向中央から横方向両側に向かって末広がりに傾斜する。
【００７７】
頂壁１５をさらに上方へ旋回させると、両側領域５２の傾斜が一層大きくなるとともに、側部フラップ１９Ａ，１９Ｂの部分５０と連接端縁３７に形成された第３切り込み線４６Ａ，４６Ｂとの係合が次第に外れ、中央可撓領域４３と両側領域５２とが前壁１１および前部フラップ１７の内側から次第に外れる。側部フラップ１９Ａ，１９Ｂの部分５０と第３切り込み線４６Ａ，４６Ｂとの係合が外れ、中央可撓領域４３と両側領域５２とが前壁１１および前部フラップ１７の内側から外れると、図１４に示すように、頂部開口２２が開放される。頂部開口２２が開放された後、物品収納部２１に収納された物品を取り出し、頂部開口２２を再び閉鎖する。頂部開口２２の閉鎖手順は既述のとおりである。
【００７８】
包装容器１０Ｂは、頂部フラップ１８の横方向中央に第１切り込み線３９と第２折り曲げ線４２Ａ，４２Ｂとに囲繞された中央可撓領域４３が画成され、頂部開口２２を開放するときに中央可撓領域４３を容器１０Ｂの内側へ向かって凹ませることができるから、頂部開口２２の開放時に頂部フラップ１８の横方向中央を指５１で押圧してフラップ１８を強制的に凹ませる必要はなく、頂壁１５や頂部フラップ１８が強制的に折り曲げられることによる頂壁１５やフラップ１８の損傷を防ぐことができる。包装容器１０Ｂは、頂部開口２２を繰り返し開閉したとしても、頂壁１５や頂部フラップ１８が損傷することはなく、長期間の使用に耐えることができる。
【００７９】
包装容器１０Ｂは、頂部開口２２の開放時に、中央可撓領域４３を容器１０Ｂの内側へ向かって凹ませつつ頂壁１５を上方へ旋回させると、中央可撓領域４３を除く頂部フラップ１８の残余の両側領域５２が頂壁１５の横方向中央から横方向両側に向かって末広がりに傾斜しつつ、側部フラップ１９Ａ，１９Ｂと第３切り込み線４６Ａ，４６Ｂとの係合が外れ、中央可撓領域４３と両側領域５２とが前壁１１および前部フラップ１７の内側から外れるから、頂部フラップ１８と前壁１１や前部フラップ１７との係合を容易に解除することができ、頂部開口２２の開放作業に手間取ることがなく、頂部開口２２をスムースに開放することができる。
【００８０】
包装容器１０Ｂは、第２折り曲げ線４２Ａ，４２Ｂが頂部フラップ１８の連接端縁３７から自由端縁３８に向かって末広がりに傾斜しているから、頂部開口２２の開放時に中央可撓領域４３を容器１０Ｂの内側へ向かって凹ませるとともに頂壁１５を上方へ旋回させた場合、頂部フラップ１８の両側領域５２が中央可撓領域４３によって横方向内方へ確実に引っ張られ、両側領域５２が頂壁１５の横方向中央から横方向両側に向かって末広がりに傾斜し、側部フラップ１９Ａ，１９Ｂと第３切り込み線４６Ａ，４６Ｂとの係合が容易に外れるとともに、中央可撓領域４３と両側領域５２とが前壁１１や前部フラップ１７の内側から容易に外れ、側部フラップ１９Ａ，１９Ｂと第３切り込み線４６Ａ，４６Ｂとの係合を容易に解除することができ、頂部フラップ１８と前壁１１および前部フラップ１７との係合を容易に解除することができる。
【００８１】
包装容器１０Ｂは、第１切り込み線３９の両側延出端４４が頂壁１５に向かって延びた後、再び連接端縁３７と平行して延びているから、中央可撓領域４３を容器１０Ｂの内側へ向かって繰り返し凹ませたとしても、第１切り込み線３９から連接端縁３７が裂壊することはなく、頂部フラップ１８の破損を防ぐことができる。包装容器１０Ｂは、第２折り曲げ線４２Ａ，４２Ｂの間に延びる頂部フラップ１８の自由端縁３８に凹部５３が形成されているから、その分中央可撓領域４３の面積が小さくなり、中央可撓領域４３を容器１０Ｂの内側へ容易に凹ませることができる。包装容器１０Ｂは、中央可撓領域４３が前壁１１の第１切り欠き領域４７および前部フラップ１７の第２切り欠き領域４９において露出し、それによって頂部開口２２の開放時に前壁１１と頂部フラップ１７との間に指を強制的に進入させることなく、中央可撓領域４３を容器１０Ｂの内側へ凹ませることができるから、前壁１１や頂部フラップ１７の損傷を防ぐことができる。
【符号の説明】
【００８２】
１０Ａ    包装容器
１０Ｂ    包装容器
１１    前壁
１２    後壁
１３    左側壁
１４    右側壁
１５      頂壁
１６Ａ，Ｂ    底壁
１７    前部フラップ
１８    頂部フラップ
１９Ａ，Ｂ    側部フラップ
２０Ａ，Ｂ    底部フラップ
２１    物品収納部
２２    頂部開口
２３    底部開口
３７    連接端縁
３８    自由端縁
３９    第１切り込み線
４０Ａ，Ｂ    第２切り込み線
４１    第１折り曲げ線
４２Ａ，Ｂ    第２折り曲げ線
４３    中央可撓領域
４４    両側延出端
４５    延出端
４６Ａ，Ｂ    第３切り込み線
４７    第１切り欠き領域
４９    第２切り欠き領域
５２    両側領域
５３    凹部
【図１】
2013107688.tif 000003
【図２】
2013107688.tif 000004
【図３】
2013107688.tif 000005
【図４】
2013107688.tif 000006
【図５】
2013107688.tif 000007
【図６】
2013107688.tif 000008
【図７】
2013107688.tif 000009
【図８】
2013107688.tif 000010
【図９】
2013107688.tif 000011
【図１０】
2013107688.tif 000012
【図１１】
2013107688.tif 000013
【図１２】
2013107688.tif 000014
【図１３】
2013107688.tif 000015
【図１４】
2013107688.tif 000016